(57)【要約】【課題】従来、光触媒を有するフィルターは空調ケース内に設置するため光が入らず、このフィルターの近傍に紫外線ランプ等の光源を設置する必要が有り、これにより車両の生産コストが高くなるという課題が有った。【解決手段】ファン（２４）の回転により排風口（２５）から空気を吹き出すように構成した車両の空気浄化装置であって、前記ファン（２４）を内装し且つ前記空気を通す空間部（６Ａ，６Ｂ）の上方を透明部材（５）で構成すると共に、この透明部材（５）の下方に光によって活性化する光触媒部材により構成されたフィルター（３）を、太陽光に当たるように配置した。また前記透明部材（５）から空気を取り入れる構成とした。【選択図】        図１
2005035543.tif 000002
【特許請求の範囲】
【請求項１】
ファン（２４）の回転により排風口（２５）から空気を吹き出すように構成した車両の空気浄化装置であって、前記ファン（２４）を内装し且つ前記空気を通す空間部（６Ａ，６Ｂ）の上方を透明部材（５）で構成すると共に、この透明部材（５）の下方に光によって活性化する光触媒部材により構成されたフィルター（３）を、太陽光に当たるように配置したことを特徴とする車両の空気浄化装置。
【請求項２】
前記透明部材（６）から空気を取り入れる構成としたことを特徴とする請求項１に記載の車両の空気浄化装置。
【発明の詳細な説明】
【技術分野】
【０００１】
この発明は、自動車や作業車、または電車など車両全般の空気浄化装置の構成に関する。
【背景技術】
【０００２】
従来、座席を取り囲む車両内に、酸化チタン等の光触媒部材を含むフィルターを介して外気を取り入れるように構成した車両があった。例えば、特開平５−１０４９４６号公報には、自動車用の空調装置内に光触媒付きフィルターを設け、このフィルターを介して外気を取り込むことで、活性炭などのフィルターよりも長期間に亘って車両内に清浄な外気を取り込む技術が示されている。
【特許文献１】特開平5-104946号
【発明の開示】
【発明が解決しようとする課題】
【０００３】
しかしながら、前記従来の公報によるフィルターは空調装置内に設置するため、このフィルターの近傍に紫外線ランプ等の光源を設置する必要が有り、これにより車両の生産コストが高くなるという課題が有った。
【課題を解決するための手段】
【０００４】
この発明は、以上のような課題に鑑みて、請求項１の発明では、ファン（２４）の回転により排風口（２５）から空気を吹き出すように構成した車両の空気浄化装置であって、前記ファン（２４）を内装し且つ前記空気を通す空間部（６Ａ，６Ｂ）の上方を透明部材（５）で構成すると共に、この透明部材（５）の下方に光によって活性化する光触媒部材により構成されたフィルター（３）を、太陽光に当たるように配置したことを特徴とする車両の空気浄化装置とした。
【０００５】
また請求項２の発明では、前記透明部材（６）から空気を取り入れる構成としたことを特徴とする請求項１に記載の車両の空気浄化装置とした。
【発明の効果】
【０００６】
以上のように構成した請求項１と請求項２の車両の空気浄化装置は、フィルター３を太陽光に当る個所に設置する構成としたので、別途光源を設ける必要が無く車両のコストを安価に構成することができる。また特に請求項１の発明では、空気を通す空間部６の一部を透明部材５で構成し、この下方に前記フィルター３を設ける構成としたので、雨水や洗浄水がかかることを防止しつつ、太陽光が当たり易く光触媒が付着した異臭物を分解することを促進させることができる。
【発明を実施するための最良の形態】
【０００７】
以下、この発明の実施の形態を農業用トラクタの空気浄化装置について説明する。
最初に、トラクタ１０の全体構成について説明する。トラクタ１０は、図５に示すように、車体前部にエンジン８を設け、このエンジン８の回転動力を、後輪９Ｒ、或いは前後輪９Ｆ，９Ｒに伝達して走行する構成となっている。また、車体中央部には、フロア１１を設け、このフロア１１後端部をフェンダー１２へ接続して設けている。そして、この左右フェンダー１２，１２間に座席となる操縦席１を配置し、操縦席１前方にステアリングハンドル１３を設け、操縦席１左右に変速用レバー１４や作業機昇降用レバー１５等の各種操作部材や各種設定器を設けている。
【０００８】
キャビン２は、前記フロア１１前部左右に前フレーム１６，１６を立設し、左右フェンダー１２，１２後部に後フレーム１７，１７を立設して、この上端同士を左右横フレーム１８，１８と後横フレーム１９とで連結してキャビン枠を構成している。前記左右前フレーム１６，１６間には、フロントガラス２０を設け、左右後フレーム１７，１７間にはリヤガラス２１を取り付ける構成となっている。また、左右夫々の前後フレーム１６，１７間にはドア２２を設け、後フレーム１７のヒンジ２３，２３を中心に開閉する構成となっている。
【０００９】
キャビン２のルーフ４は、図１に示すように、前記左右横フレーム１８，１８間に亘って設けるインナールーフ４Ｂと、同フレーム１８，１８、及び後フレーム１７の上方を覆うアウタールーフ４Ａ等から構成され、この両ルーフ４Ａ．４Ｂ間に空間部６Ａを形成した構成となっている。そして、このインナールーフ４Ｂの前部で前記ステアリングハンドル１３の上方の空間部６Ａには、ファン２４を載置して設け、インナールーフ４Ｂの排風口２５を通じてオペレータの顔や胸元に向かって風を送風する構成となっている。また、両ルーフ４Ａ，４Ｂの前端部は、前記フロントガラス２０よりも前方へ延長して設け、この延長部４ａ，４ｂを後述するように着脱式ユニット７として一体構成されている。
【００１０】
前記ルーフ４の延長部４ａ，４ｂの内、アウタールーフ４Ａの延長部４ａは、この先端部を下方へ向かって湾曲した構成とし、インナールーフ４Ｂの延長部４ｂは水平状に延設する構成としている。そして、両延長部４ａ，４ｂ間には、空間部６Ｂを構成している。そして、この延長部４ａ，４ｂの空間部６Ｂと、前記ファン２４を有する空間部６Ａとを連通する構成としている。
【００１１】
また、インナールーフ４Ｂの延長部４ｂには外気導入口２６を設け、この内部に固定枠２７を設けている。そして、この固定枠２７の最下部にウレタン状の第一フィルター３Ａを嵌め込み、この上方に、前記第一フィルター３Ａよりも目の細かいペーパー状の第二フィルター３Ｂを設け、さらにこの上方に光によって活性化する空気浄化部材（例えば、酸化チタン）を含むプレート状の第三フィルター３Ｃを取り付ける３層構成となっている。この第三フィルター３Ｃは、図２に示すように、波形形状のプレートを複数枚重ねて構成し、この間隙部を縦方向に空気が抜ける構成となっている。
【００１２】
また、前記アウタールーフ４Ａの延長部４ａの湾曲部には、上部から前方部に亘って側面視で少なくとも９０度の範囲に開口部２８を設け、この開口部２８を透明部材である透明プラスチック５にて遮蔽する構成となっている。
【００１３】
以上のように構成したトラクタ１０の空気浄化装置は、ファン２４を回転するとインナールーフ４Ｂの外気導入口２６から外気を吸い込み、この外気は、順に第一フィルター３Ａ、第二フィルター３Ｂ、第三フィルター３Ｃ、ファン２４、排風口２５を通じてキャビン２内へ送風される。
【００１４】
これにより、第三フィルター３Ｃにて外気に含まれた異臭物質（例えば、アンモニア、硫化水素、酢酸、アセトアルテヒド等）を吸収するので、キャビン２内には清浄な空気が送り込まれる。また、光によって活性化する空気浄化部材を含むフィルター３Ｃをルーフ３に設ける構成としたので、略車体幅に亘って面積の広いフィルター３Ｃを配置することができる。
【００１５】
また、第三フィルター３Ｃの上方のルーフ延長部３ａを、上方から前方に亘って透明プラスチック５にて構成したので、この空気浄化装置を車体のボンネット上や後フレーム１９などに設けこれを通じてキャビン２に外気を取り入れる構成と比較して、太陽の傾きに関わらず太陽光が第三フィルター３Ｃに照射されることができ、同フィルター３Ｃの光分解を促進させることができる。
【００１６】
次に、前記ルーフ４の延長部４ａ，４ｂの着脱ユニット７の着脱構成について説明する。アウタールーフ４Ａの上面には左右に併設して複数個の引掛用の係止部２９…を設け、このヒンジ２９に対応する前記延長部４ａに鍵状のフック３０を設けている。また、インナールーフ４Ｂの下面にも左右方向に併設して複数個の引掛用の係止部３１…を設け、これに対応する位置の延長部４ｂにスナップ錠３２を設けた構成となっている。
【００１７】
これにより、前記フィルター３Ｃが非分解物質により劣化したり、第一及び第二フィルター３Ａ，３Ｂを交換する時には、スナップ錠３２の固定を解除、或いは再度固定することで、アウタールーフ４Ａとインナールーフ４Ｂの延長部４ａ，４ｂ、及びフィルター３Ａ，３Ｂ，３Ｃを、車体側のルーフ４から着脱することができる。従って、この延長部３ａ，３ｂを着脱する時に、前記透明プラスチック５も同時に着脱され、これに付着したゴミなど同時に除去することができ、透明プラスチック５と第三フィルター３Ｃとを別体に構成することと比較して、メンテナンスを容易に行うことができる。
【００１８】
尚、図６に示すトラクタの全体側面図は、この発明の別形態を示すもので、例えば符号Ａの位置、即ちルーフ４の後部にファン５０を設けるときには、前記後支柱２１を中空状に構成し、この側面に光触媒部材を含むフィルターを取り付けた外気導入口５１を設け、ここから外気を取り入れる構成としている。
【００１９】
また、符号Ｂの位置は請求項２の発明を示すもので、ボンネット５３内にファンを有する空調装置５４を設け、同ボンネット５３上に透明部材で構成したエアクリーナユニット５５を設け、このエアクリーナユニットから外気を取り入れる構成としている。
【００２０】
尚、この発明の前記光触媒部材を酸化チタンで構成する場合は、アンモニア、アセトアルテヒド、酢酸、トリメチルアミン、トリメチルカプタン、硫化水素、スチレン、硫化メチル等を分解することができる。また、前記透明部材は、透明ガラスや透明フィルムにて構成しても良い。
【図面の簡単な説明】
【００２１】
【図１】一部断面したルーフ前部の側面図。
【図２】（Ａ）空気浄化部材の斜視図。（Ｂ）空気浄化部材の一部拡大した上面部。
【図３】ルーフ全体の上面図。
【図４】空気浄化装置の作用図。
【図５】ルーフにフィルターを備えたトラクタの全体側面図。
【図６】キャビンの支柱、或いはボンネット上部にフィルターを備えたトラクタの全体側面図。
【符号の説明】
【００２２】
１  操縦席
２  キャビン
３Ａ  アウタールーフ
３ａ  アウタールーフの延長部
３Ｂ  インナールーフ
３ｂ  インナールーフの延長部
４  透明部材
５  空気浄化部材
６  空間部
７  ルーフ延長部の着脱ユニット
【図１】
2005035543.tif 000003
【図２】
2005035543.tif 000004
【図３】
2005035543.tif 000005
【図４】
2005035543.tif 000006
【図５】
2005035543.tif 000007
【図６】
2005035543.tif 000008